(57)【要約】【課題】  記録を開始してから記録を停止するまでの時間を、ユーザが簡単に、且つ、適切に設定可能とする。【解決手段】  撮像手段と、前記撮像手段により得られた動画信号を記録媒体に記録する記録手段と、ユーザによる計測開始の指示から計測停止の指示までの経過時間を測定する測定手段と、前記測定手段により測定された経過時間を記憶する記憶手段と、前記ユーザによる記録開始の指示に応じて前記撮像手段により得られた動画信号の記録を開始し、前記動画信号の記録開始後、前記記憶手段に記憶された前記経過時間が経過したことに応じて、自動的に前記動画信号の記録を停止するように、前記記録手段を制御する制御手段とを備える。【選択図】  図１
2013021655.tif 000002
【特許請求の範囲】
【請求項１】
撮像手段と、
前記撮像手段により得られた動画信号を記録媒体に記録する記録手段と、
ユーザによる計測開始の指示から計測停止の指示までの経過時間を測定する測定手段と、
前記測定手段により測定された経過時間を記憶する記憶手段と、
前記ユーザによる記録開始の指示に応じて前記撮像手段により得られた動画信号の記録を開始し、前記動画信号の記録開始後、前記記憶手段に記憶された前記経過時間が経過したことに応じて、自動的に前記動画信号の記録を停止するように、前記記録手段を制御する制御手段とを備える記録装置。
【請求項２】
前記測定手段は、複数回の計測による前記経過時間の平均の経過時間を算出し、前記記憶手段は、前記平均の経過時間を記憶することを特徴とする請求項１に記載の記録装置。
【請求項３】
前記撮像手段により得られた動画信号を表示装置に表示する表示手段を備え、
前記制御手段は、前記ユーザによる計測開始の指示から計測停止の指示までの間、前記表示手段により前記撮像手段により得られた動画信号を表示させることを特徴とする請求項１に記載の記録装置。
【請求項４】
撮像手段と、
前記撮像手段により得られた動画信号を記録媒体に記録する記録手段と、
ユーザによる記録開始の指示に応じて前記動画信号の記録を開始し、記録停止の指示に応じて前記動画信号の記録を停止するように前記記録手段を制御する制御手段と、
前記ユーザによる記録開始の指示から記録停止の指示までの経過時間を測定する測定手段と、
前記測定手段により測定された経過時間を記憶する記憶手段とを備え、
前記制御手段は、自動記録モードにおいて、前記ユーザによる記録開始の指示に応じて前記撮像手段により得られた動画信号の記録を開始し、前記動画信号の記録開始後、前記記憶手段に記憶された前記経過時間が経過したことに応じて、自動的に前記動画信号の記録を停止するように、前記記録手段を制御することを特徴とする記録装置。
【発明の詳細な説明】
【技術分野】
【０００１】
本発明は記録装置に関する。
【背景技術】
【０００２】
従来、撮影開始から決められた時間が経過すると、自動的に撮影を停止する自動停止モードを備えたビデオカメラが知られている（例えば、特許文献１参照）。
【先行技術文献】
【特許文献】
【０００３】
【特許文献１】特開平０６−１５３０２８号公報
【発明の概要】
【発明が解決しようとする課題】
【０００４】
しかしながら、従来の装置では、自動停止モードにおける撮影時間をユーザが変更することができず、使い勝手が悪いものであった。
【０００５】
本発明は、このような問題を鑑みてなされたものであり、記録を開始してから記録を停止するまでの時間を、ユーザが簡単に、且つ、適切に設定可能な装置を提供することを目的とする。
【課題を解決するための手段】
【０００６】
本発明によれば、撮像手段と、前記撮像手段により得られた動画信号を記録媒体に記録する記録手段と、ユーザによる計測開始の指示から計測停止の指示までの経過時間を測定する測定手段と、前記測定手段により測定された経過時間を記憶する記憶手段と、前記ユーザによる記録開始の指示に応じて前記撮像手段により得られた動画信号の記録を開始し、前記動画信号の記録開始後、前記記憶手段に記憶された前記経過時間が経過したことに応じて、自動的に前記動画信号の記録を停止するように、前記記録手段を制御する制御手段とを備える。
【発明の効果】
【０００７】
記録を開始してから記録を停止するまでの時間を、ユーザが簡単に、且つ、適切に設定可能となる。
【図面の簡単な説明】
【０００８】
【図１】本発明の実施例形態の記録装置のブロック図である。
【図２】時間設定処理を示すフローチャートである。
【図３】時間設定処理の表示画面を示す図である。
【図４】時間設定処理の表示画面を示す図である。
【図５】時間設定処理の表示画面を示す図である。
【図６】時間設定処理を示すフローチャートである。
【図７】時間設定処理の表示画面を示す図である。
【図８】時間設定処理を示すフローチャートである。
【図９】時間設定処理を示すフローチャートである。
【発明を実施するための形態】
【０００９】
（実施例１）
図１は、本発明の実施例１に係る記録装置の構成を示すブロック図である。１０１はレンズ、１０２は固体撮像素子であるＣＣＤである。１０３はＣＣＤ１０２からの動画信号を処理する映像信号処理回路である。１０４は映像信号にＯＳＤ等のグラフィックを合成し、表示装置あるいは出力端子へ出力する映像表示出力回路である。１０５は映像出力端子である。１０６は映像出力端子からの信号を受けて表示する外部のモニタである。１０７は映像表示装置である液晶ディスプレイ（ＬＣＤ）である。１０８はマイク、１１０はスピーカー、１１１は音声出力端子である。１０９はマイク１０８からの信号を音声信号に変換し、また音声信号をスピーカー１１０や音声出力端子に出力する音声信号処理回路である。
【００１０】
１１２はユーザからの操作を受け付ける操作部であり、１１３は操作部１１２からの指示を受け、他のデバイスを制御する制御部である。１１５は映像信号や、音声信号を一時的に保存するバッファメモリ、１１６はメディアコントローラーであり、記録メディア１１７への記録、読み出し等のアクセスを制御する。１１８はタイマー回路であり、制御部１１３に時間を通知する、１１４はスナップムービーの記録時間を保存しておくメモリである。
【００１１】
撮影の際には、映像信号処理回路１０３で生成された映像信号をバッファメモリ１１５に一時保存し、また、音声信号処理回路１０９で生成された音声信号もバッファメモリ１１５に一時保存する。一時保存された映像および音声のデータを、ヘッダ等の情報を付加した上で、メディアコントローラー１１６を介して、記録メディア１１７に記録する。
【００１２】
また、通常撮影モードの場合、映像・音声の記録は、操作部１１２からの記録開始指示で開始し、停止指示で停止する。この様な通常撮影モードに加え、記録開始の指示に応じて動画と音声の記録を開始し、所定時間経過すると、自動的に記録を停止する自動記録モード（スナップ記録モード）を持つ。この場合は、操作部１１２からの記録開始指示で記録を開始するところまでは通常の撮影モードと同じである。撮影開始後、タイマー１１８により経過時間を測定し、スナップ時間保存部１１４に保存されている所定の時間が経過した時点で、記録を自動的に停止する。
【００１３】
スナップ時間保存部１１４に保存されている時間情報を設定する場合には、表示回路１０４で合成されるＯＳＤ表示と操作部１１２で構成されるＧＵＩを用いて、ユーザが直接数値で設定することも可能で。また、操作部１１２からの時間測定開始指示から、時間測定終了指示までの間の時間をタイマー１１８で測定し、スナップ時間保存部１１４に測定した時間を保存して設定することが可能である。
【００１４】
図２は、本発明の実施例１に係るスナップ時間設定フローを示したフローチャートである。図２の処理は、制御部１１３が各部を制御することにより実行される。
【００１５】
ユーザが操作部１１２を操作して、スナップムービーの時間設定を指示した場合、ステップＳ２０１において、図３のような数値入力か時間測定入力かの選択肢をＬＣＤ１０７に表示する。
【００１６】
図３は、設定方法選択画面の例であり、選択肢３０１は数値入力、選択肢３０２は時間を実際に測定する実測の方法を示しており、ユーザは操作部１１２を操作して、カーソル３０３を動かし、よりどちらかを選択する。
【００１７】
選択結果は、図２のフロー上はステップ２０２の選択に相当する。時間計測が選択された場合、ステップ２０３に進み、ユーザからの測定開始指示を待つ。また、時間計測の指示があると、制御部１１３は、撮影された映像信号をＬＣＤ１０７に表示する。ユーザはＬＣＤ１０７の表示画面を見ながら操作部１１２を操作して、時間計測開始を指示することができる。操作部１１２からの測定開始指示を受けると、ステップ２０４に進み、タイマー回路１１８による時間測定を開始する。
【００１８】
図４はステップＳ２０４の時間測定中の表示例であり、表示回路１０４でＯＳＤを合成し、経過時間４０１をリアルタイムに表示する。
【００１９】
その後ステップ２０５で時間測定の終了指示を操作部１１２から受けると、タイマー回路１１８による測定を終了する。そして、制御部１１３は、今回測定した時間をタイマー回路１１８より受け取り、測定結果と共にユーザへの確認画面をＬＣＤ１０７に表示する。
【００２０】
図５は測定結果で設定するか問い合わせる画面例であり、測定した時間５０１を表示すると共に、「はい」の選択肢５０２および、「いいえ」の選択肢５０３を表示して、操作部１１２からの操作で、ユーザに選択させる。
【００２１】
「はい」の選択肢５０２が選ばれた場合はステップＳ２０７のＹｅｓに進み、ステップＳ２０８にて時間保存部１１４に測定した時間を保存する。一方「いいえ」の選択肢が選択された場合はＮｏに進み、ステップＳ２０３に戻って操作部１１２からの測定開始指示を待つ。
【００２２】
また、ステップＳ２０２において、数値入力が選択された場合は、ステップ２０９に進み、表示回路１０４で数値入力画面を表示する。ステップＳ２１０で操作部１１２を用いた操作で、ユーザから直接数値入力を受付け、ステップＳ２０８にて受け付けた時間をスナップ時間保存部１１４に保存して設定する。
【００２３】
図６は、時間測定を複数回行う場合のフローである。スナップ時間保存部１１４に計測時間を複数保存可能であり、図２のフローでのステップＳ２０５の測定終了指示受付の後、ステップＳ６０１にて、スナップ時間保存部１１４に複数保存されている測定結果の平均値を制御部１１３にて計算する。ステップＳ６０２にてその計算結果をスナップムービーの時間として設定してよいかユーザに問い合わせる画面を表示する。
【００２４】
図７は、ステップＳ６０２で表示する確認画面の例であり、この例では、平均値を７０１に表示している。また、選択肢として「はい」の選択肢７０２および「再測定」の選択肢７０３を表示して、操作部１１２からの操作でユーザに選択させる。
【００２５】
選択結果はステップＳ６０３の選択に相当し、測定を終了する場合は、算出した平均値をステップＳ２０８にてスナップ時間保存部１１４に保存する。再測定する場合はステップＳ６０４にてスナップ時間保存部に測定結果の１つとして時間を追加保存し、ステップＳ２０３の測定開始指示を待つ。
【００２６】
この様にスナップ記録時間がスナップ時間保存部１１４に保存される。なお、スナップ時間保存部１１４に保存されたスナップ記録時間は、記録装置の電源がオフされた後でもそのまま記憶される。
【００２７】
（実施例２）
図８は本発明の実施例２に係る撮影およびスナップムービー時間設定フローを示したフローチャートである。本実施例においても、記録装置の構成は図１と同様である。ステップＳ８０１において、ユーザはスナップムービー記録モードと、通常記録モードを選択する。スナップモードが選択された場合はステップＳ８０２でスナップ記録待機状態になり、ユーザからの指示を待つ。ユーザが操作部１１２により記録開始指示の操作をすると、ステップＳ８０３において記録開始指示を受付、ステップＳ８０４にて、スナップムービー記録モードに切り替えてから１回目の記録か２回目以降か判定する。１回目の場合はステップＳ８０５にて記録開始と共に、タイマー１１８での時間測定も開始する。ステップＳ８０６にて操作部１１２からの記録終了指示を受けると、ステップＳ８０７にて記録を終了すると共に、時間計測も終了する。ステップＳ８０８にて、スナップ時間保存部１１４に測定した時間をスナップ時間として保存する。
【００２８】
スナップムービー記録モードのままでステップＳ８０３まで進んで記録開始指示を受け付けた場合、ステップＳ８０４では２回目以降のため、ステップＳ８０９に進み、記録を開始する。ステップＳ８１０でスナップ時間保存部１１４に保存された時間が経過したか、タイマー１１８の出力を用いて判定し、スナップ時間保存部１１４に保存された時間が経過した時点で、ステップＳ８１１に進み、自動的に記録を終了する。
【００２９】
本フローにより、スナップムービー記録モードに切り替えて１回目は記録と共に時間測定して、スナップムービーの時間を設定し、２回目以降その時間を使って本来のスナップムービーの記録操作である開始指示のみで、自動停止することが可能である。
【００３０】
なお、ステップＳ８０１で通常記録が選択された場合は、ステップＳ８１２に進み、通常記録待機状態から、ステップＳ８１３で記録開始指示を受け付ける。ステップＳ８１４に進んで記録を開始し、ステップＳ８１５で記録終了を受け付けたら、ステップＳ８１６にて記録を終了する。
【００３１】
（実施例３）
図９は本発明の実施例３に係る撮影およびスナップムービー時間設定フローを示したフローチャートである。図８同様、ステップＳ８０１において、ユーザはスナップムービー記録モードと、通常記録モードを選択する。
【００３２】
通常記録モードが選択された場合はステップＳ９０２に進み、通常記録待機状態になる。ステップＳ９０３にて、記録開始の指示を受けた場合、ステップＳ９０４にて、記録を開始すると共に、時間測定も開始する。ステップＳ９０５で記録終了の指示を受け付けた場合、ステップＳ９０６にて記録を終了すると共に時間測定も終了する。その後ステップ９０７にてスナップ時間保存部１１４に測定した時間を保存し、ステップＳ８０１に戻る。
【００３３】
ステップＳ８０１にてスナップムービー記録モードが選択された場合は、ステップＳ９０８に進み、スナップムービー記録の待機状態になり、ステップＳ９０９にて記録開始指示を受け付けると、ステップＳ９１０に進み記録を開始する。
【００３４】
ステップＳ９１１でスナップ時間保存部１１４に保存された時間が経過したか、タイマー１１８の出力を用いて判定する。スナップ時間保存部１１４に保存された時間が経過した時点で、ステップＳ９１２に進み、自動的に記録を終了する。
【００３５】
本フローにより通常記録モードで記録した場合は常に時間を測定して、スナップムービーの時間として設定する。スナップムービー記録モードに切り替えた際に、直前の通常記録モードで記録した際の時間をスナップムービーの時間として利用し、自動停止が可能である。
【００３６】
なお、通常記録を１度も行わずにスナップムービー記録モードに切り替えた場合は、初期値として、所定の値をスナップ記録時間として設定しておけばよい。
【００３７】
この様に、各実施形態は、撮像手段と、撮像手段により得られた動画信号を記録媒体に記録する記録手段と、ユーザによる計測開始の指示から計測停止の指示までの経過時間を測定する測定手段とを備える。また、測定手段により測定された経過時間を記憶する記憶手段を備える。また、記録開始の指示に応じて撮像手段により得られた動画信号の記録を開始し、動画信号の記録開始後、記憶手段に記憶された経過時間が経過したことに応じて、自動的に前記動画信号の記録を停止するように、記録手段を制御する制御手段を備える。また、測定手段は、複数回の計測による前記経過時間の平均の経過時間を算出し、前記記憶手段は、前記平均の経過時間を記憶する。また、撮像手段により得られた動画信号を表示装置に表示する表示手段を備える。また、制御手段は、前記ユーザによる計測開始の指示から計測停止の指示までの間、前記表示手段により前記撮像手段により得られた動画信号を表示させる。また、撮像手段と、前記撮像手段により得られた動画信号を記録媒体に記録する記録手段と、ユーザによる記録開始の指示に応じて前記動画信号の記録を開始し、記録停止の指示に応じて前記動画信号の記録を停止するように前記記録手段を制御する制御手段とを備える。また、記録開始の指示から記録停止の指示までの経過時間を測定する測定手段と、測定手段により測定された経過時間を記憶する記憶手段とを備える。また、自動記録モードにおいて、記録開始の指示に応じて撮像手段により得られた動画信号の記録を開始し、動画信号の記録開始後、記憶手段に記憶された経過時間が経過したことに応じて、自動的に動画信号の記録を停止するように、記録手段を制御する。
【図１】
2013021655.tif 000003
【図２】
2013021655.tif 000004
【図３】
2013021655.tif 000005
【図４】
2013021655.tif 000006
【図５】
2013021655.tif 000007
【図６】
2013021655.tif 000008
【図７】
2013021655.tif 000009
【図８】
2013021655.tif 000010
【図９】
2013021655.tif 000011